(57)【特許請求の範囲】
【請求項１】
陳列室の開口一端に形成された吹出口と、前記開口他端に形成された吸込口とを備え、前記吹出口より吸込口に向けて冷気を吹き出すことにより、前記開口に冷気エアーカーテンを形成して成るオープンショーケースにおいて、
前記吹出口より吹き出された冷気が流れる領域内であって、当該吹出口の外端より冷気吹出方向に離間した位置に設けられた冷気ガイドを備え、
該冷気ガイドは、前記吹出口の長手方向の幅と略等しい幅を有する板状部材にて構成されており、
前記吹出口の外端から内端までの幅をＷとしたとき、当該吹出口の外端から前記冷気ガイドの位置までの距離を、１／２Ｗ以下に設定したことを特徴とするオープンショーケース。
【請求項２】
陳列室の開口一端に形成された吹出口と、前記開口他端に形成された吸込口とを備え、前記吹出口より吸込口に向けて冷気を吹き出すことにより、前記開口に冷気エアーカーテンを形成して成るオープンショーケースにおいて、
前記吹出口に取り付けられたハニカム整流体と、
該ハニカム整流体から出た冷気が流れる領域内であって、当該ハニカム整流体より冷気吹出方向に離間した位置に設けられた冷気ガイドを備え、
該冷気ガイドは、前記ハニカム整流体の長手方向の幅と略等しい幅を有する板状部材にて構成されており、
前記吹出口の外端から内端までの幅をＷとしたとき、当該吹出口の外端から前記冷気ガイドの位置までの距離を、１／２Ｗ以下に設定したことを特徴とするオープンショーケース。
【請求項３】
前記吹出口又はハニカム整流体から前記冷気ガイドが離間する距離をＨ、前記吹出口の外端から内端までの幅をＷとしたとき、１／５Ｗ≦Ｈ≦１／２Ｗに設定したことを特徴とする請求項１または２に記載のオープンショーケース。
【請求項４】
前記冷気ガイドを長手方向に直交する面で切断した断面は、対称翼状を呈することを特徴とする請求項１から３の何れかに記載のオープンショーケース。
【請求項５】
前記冷気ガイドは、透明材料にて構成されていることを特徴とする請求項１から４の何れかに記載のオープンショーケース。
【発明の詳細な説明】
【技術分野】
【０００１】
本発明は、陳列室の開口に冷気エアーカーテンを形成して成るオープンショーケースに関するものである。
【背景技術】
【０００２】
従来よりこの種オープンショーケースは、陳列室内で商品を冷凍、若しくは、冷蔵しながら陳列販売するために供されるものであり、商品の取り出しを容易とするために、陳列室の前面や上面が開口している。この開口からは外気が侵入し、陳列室内の冷却性能を悪化させるため、開口の一端と他端に吹出口と吸込口が形成され、吹出口から吸込口に向けて冷気を吹き出すことにより、開口に冷気エアーカーテンを形成していた。
【０００３】
ここで、吹出口には通常ハニカム整流体が取り付けられており、吹出口からは均一に冷気が吹き出されるように構成されているが、吹出口から吹き出された瞬間から外気を巻き込み、乱れを生ずる。即ち、開口に冷気エアーカーテンを形成するためにハニカム整流体から吹き出される冷気自体は、均一で乱れの少ない流れであるが、吹出口から出た直後に外気と接触することで渦が発生する。この渦は発達しながら冷気の流れに沿って移動するので、結果として冷気の下流側になるに従って外気の混合が進行し、流速の低下と温度の上昇を来すことになる。
【０００４】
このような冷気エアーカーテンの乱れは、陳列室内の温度を上昇させ、冷却性能の悪化を招来する。そこで、従来では吹出口に連続して吸込口側に突出したガイドを取り付けたり、陳列室内に架設された棚の先端にガイドを取り付けて冷気の乱れを抑制する対策が採られていた（例えば、特許文献１、特許文献２参照）。
【先行技術文献】
【特許文献】
【０００５】
【特許文献１】特開平８−３２０１７６号公報
【特許文献２】特開２０１３−１５３９５０号公報
【発明の概要】
【発明が解決しようとする課題】
【０００６】
しかしながら、吹出口に連続してガイドを突設させても、ガイドを経た冷気が静止している外気に接触した途端、やはり渦が発生して冷気エアーカーテンが乱れてしまう。また、棚の先端にガイドを取り付ける策では、ガイドが商品の納出の邪魔となり、販売効果を低下させる欠点があった。
【０００７】
本発明は、係る従来の技術的課題を解決するために成されたものであり、冷気エアーカーテンの乱れを効果的に抑制したオープンショーケースを提供することを目的とする。
【課題を解決するための手段】
【０００８】
上記課題を解決するために、本発明のオープンショーケースは、陳列室の開口一端に形成された吹出口と、開口他端に形成された吸込口とを備え、吹出口より吸込口に向けて冷気を吹き出すことにより、開口に冷気エアーカーテンを形成して成るものであって、吹出口より吹き出された冷気が流れる領域内であって、当該吹出口の外端より冷気吹出方向に離間した位置に設けられた冷気ガイドを備え、この冷気ガイドは、吹出口の長手方向の幅と略等しい幅を有する板状部材にて構成されていることを特徴とする。
【０００９】
本発明のオープンショーケースは、陳列室の開口一端に形成された吹出口と、開口他端に形成された吸込口とを備え、吹出口より吸込口に向けて冷気を吹き出すことにより、開口に冷気エアーカーテンを形成して成るものであって、吹出口に取り付けられたハニカム整流体と、このハニカム整流体から出た冷気が流れる領域内であって、当該ハニカム整流体より冷気吹出方向に離間した位置に設けられた冷気ガイドを備え、この冷気ガイドは、ハニカム整流体の長手方向の幅と略等しい幅を有する板状部材にて構成されていることを特徴とする。
【００１０】
本発明のオープンショーケースは、上記各発明において吹出口の外端から内端までの幅をＷとしたとき、当該吹出口の外端から冷気ガイドの位置までの距離を、１／２Ｗ以下に設定したことを特徴とする。
【００１１】
本発明のオープンショーケースは、上記各発明において吹出口又はハニカム整流体から冷気ガイドが離間する距離をＨ、吹出口の外端から内端までの幅をＷとしたとき、１／５Ｗ≦Ｈ≦１／２Ｗに設定したことを特徴とする。
【００１２】
本発明のオープンショーケースは、上記各発明において冷気ガイドを長手方向に直交する面で切断した断面は、対称翼状を呈することを特徴とする。
【００１３】
本発明のオープンショーケースは、上記各発明において冷気ガイドは、透明材料にて構成されていることを特徴とする。
【発明の効果】
【００１４】
本発明によれば、陳列室の開口一端に形成された吹出口と、開口他端に形成された吸込口とを備え、吹出口より吸込口に向けて冷気を吹き出すことにより、開口に冷気エアーカーテンを形成して成るオープンショーケースにおいて、吹出口より吹き出された冷気が流れる領域内であって、当該吹出口の外端、又は、吹出口に取り付けられたハニカム整流体より冷気吹出方向に離間した位置に冷気ガイドを設け、この冷気ガイドを、吹出口の長手方向の幅と略等しい幅を有する板状部材にて構成した。
【００１５】
オープンショーケースの吹出口から出た冷気は、外気に接触した時点から当該外気を誘引し、冷気エアーカーテンに沿った方向の流れを生成する。係る外気の誘引により、冷気エアーカーテンには渦が生成されようとするが、本発明ではこの渦が発生するところ、即ち、吹出口の外端、又は、ハニカム整流体より吹出方向に離間した位置に、冷気ガイドを設けているので、この冷気ガイドによって渦の発達を抑制することができる。
【００１６】
これにより、冷気エアーカーテンに沿った流速分布が形成され、冷気エアーカーテンの乱れによる外気との混合も抑制されるので、陳列室内の冷却効果を著しく改善することが可能となる。
【００１７】
この場合、吹出口の外端から内端までの幅をＷとしたとき、当該吹出口の外端から冷気ガイドの位置までの距離を、１／２Ｗ以下に設定することで、冷気エアーカーテンと外気との混合をより一層効果的に抑制することができる。
【００１８】
また、吹出口又はハニカム整流体から冷気ガイドが離間する距離をＨ、吹出口の外端から内端までの幅をＷとしたとき、１／５Ｗ≦Ｈ≦１／２Ｗに設定することで、渦の発達を効果的に抑制しながら、冷気ガイドが商品の納出に邪魔になる不都合も解消することができる。
【００１９】
特に、冷気ガイドを長手方向に直交する面で切断した断面を、対称翼状とすることで、冷気ガイドの前面と外面に沿って円滑に冷気が流れ、効果的に渦の発達を抑制することができる。
【００２０】
また、冷気ガイドを、透明材料にて構成することにより、陳列室内における商品陳列効果に悪影響を及ぼすこともなくなるものである。
【図面の簡単な説明】
【００２１】
【図１】本発明を適用した一実施例のオープンショーケースの縦断側面図である。
【図２】図１のオープンショーケースの吹出口部分の概略拡大断面図である。
【図３】図１のオープンショーケースの冷気ガイドの縦断側面図である。
【図４】図３の冷気ガイドによる渦の発達抑制効果を説明する模式図である。
【図５】図１のオープンショーケースにおける冷気エアーカーテンの流速分布を示す図である。
【図６】冷気ガイドを設けない場合の、図１のオープンショーケースの冷気エアーカーテンの流速分布を示す図である。
【図７】冷気ガイドを吹出口に連続して取り付けた場合の、図１のオープンショーケースの冷気エアーカーテンの流速分布を示す図である。
【図８】図１のオープンショーケースの庫内温度分布を示す図である。
【図９】冷気ガイドを設けない場合の、図１のオープンショーケースの庫内温度分布を示す図である。
【図１０】冷気ガイドを吹出口に連続して取り付けた場合の、図１のオープンショーケースの庫内温度分布を示す図である。
【図１１】冷気エアーカーテンの流速が１．２ｍ／ｓのときの図１のオープンショーケースの吹出口外端と冷気ガイド間の距離（間隔）Ｈと陳列室内平均温度との関係を示す図である。
【図１２】冷気エアーカーテンの流速が１．９ｍ／ｓのときの図１のオープンショーケースの吹出口外端と冷気ガイド間の距離（間隔）Ｈと陳列室内平均温度との関係を示す図である。
【図１３】冷気エアーカーテンの流速が０．９ｍ／ｓのときの図１のオープンショーケースの吹出口外端と冷気ガイド間の距離（間隔）Ｈと陳列室内平均温度との関係を示す図である。
【発明を実施するための形態】
【００２２】
以下、本発明の実施の形態について、詳細に説明する。実施例のオープンショーケース１は、コンビニエンスストアやスーパーマーケットなどの店舗に設置される前面に開口を有するショーケースである。このオープンショーケース１は、前面に開口する断面略コ字状の断熱壁３と、その両側に取り付けられた側板４、４によって本体２が構成されている。この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。
【００２３】
また、背面パネル６の下端には、前方に延在するデッキパン１０が設けられており、これら背面パネル６、天面パネル７及びデッキパン１０の内側に陳列室１１が構成されている。陳列室１１内には商品陳列用の棚１２が複数段（図１では３段、図５〜図１０では４段）架設されている。そして、デッキパン１０の下方には背面ダクト９に連通してその一部を構成する下部ダクト１４が構成されている。
【００２４】
陳列室１１の前面開口１３の上縁（一端）には、吹出口（冷気吹出口）１６が形成されており、開口１３の下縁（他端）には、吸込口（冷気吸込口）１７が形成されている。そして、背面ダクト９の上端は吹出口１６に連通し、下部ダクト１４の前端は吸込口１７に連通している。また、吹出口１６内にはハニカム整流体１８が取り付けられている。更に、デッキパン１０の下方の下部ダクト１４内には冷気循環用の送風機１９が配設され、陳列室１１後方の背面ダクト９内には後述する圧縮機２６や凝縮器２７と共に冷凍サイクルを構成する蒸発器１５が縦設されている。
【００２５】
一方、断熱壁３の下側には機械室２５が構成されており、この機械室２５内には圧縮機２６と、凝縮器２７と、凝縮器用送風機２８等が設置されると共に、電源や制御基板を収納した図示しない電装箱も配設される。圧縮機２５及び各送風機１９、２８が運転されると、蒸発器１５が冷却作用を発揮する。この蒸発器１５と熱交換して冷却された冷気は、送風機１９により背面ダクト９内を吹き上げられ、開口１３上縁の吹出口１６から開口１３下縁の吸込口１７に向けて吹き出される。
【００２６】
吹出口１６から吹き出された冷気は、開口１３に冷気エアーカーテンを形成しながら、吸込口１７より吸い込まれる。また、冷気エアーカーテンの一部は陳列室１１内にも循環し、それによって陳列室１１内は所定温度に冷却される。吸込口１７から下部ダクト１４内に流入した冷気は、再び送風機１９に吸い込まれ、蒸発器１５に向けて吐出される循環を繰り返す。
【００２７】
ここで図２に拡大して示すように、本発明では吹出口１６から吹き出された冷気が流れる領域内であって、当該吹出口１６の下側、即ち、吹出口１６の外端（下記Ｘ１）から冷気吹出方向に離間した位置に、冷気ガイド２１を設けている。実施例の冷気ガイド２１は、透明な硬質樹脂材にて構成された板状部材である。冷気ガイド２１は吹出口１６の長手方向（左右方向）の幅と略等しい幅を有しており、その長手方向に直交する面（前後方向の面）で切断した断面は、図３に示すような対称翼状を呈している。
【００２８】
また、冷気ガイド２１の前後方向の位置は、図２に示す吹出口１６の外端（前端）Ｘ１から内端（後端）Ｘ２までの幅をＷとしたとき、吹出口１６の外端Ｘ１から冷気ガイド２１の位置までの距離が、１／２Ｗ以下となるように設定されている。尚、実施例では図２に示す如く冷気ガイド２１を吹出口１６の外端Ｘ１の冷気が流れる領域内に配置している（即ち、外端Ｘ１から冷気ガイド２１の位置までの前後方向の距離は零）。この外端Ｘ１は、吹出口１６から吹き出された冷気が外気と接触する位置（前後方向の位置）である。
【００２９】
また、冷気ガイド２１の上下方向の位置、即ち、吹出口１６の外端Ｘ１から冷気ガイド２１が離間する距離Ｈは、実施例では１／５Ｗ≦Ｈ≦１／２Ｗに設定している。尚、実施例ではハニカム整流体１８が吹出口１６の外端Ｘ１の下端より上奥に位置しているが、ハニカム整流体１８が吹出口１６の外端Ｘ１及び内端Ｘ２の下端（図２中にＸ１、Ｘ２で示す位置）まで設けられている場合には、距離Ｈはハニカム整流体１８からの距離としてもよい。
【００３０】
また、実施例では吹出口１６の下端（後述する図４中に示すＸ１とＸ２を結ぶ線Ｌ１の位置）が、冷気が外気と接触する位置として把握して以下の説明を行うが、図４の如くハニカム整流体１８が吹出口１６の下端より上奥にある場合であって、且つ、ハニカム整流体１８を出た直後が外気との接触位置（即ち、吹出口）として把握される場合には、冷気ガイド２１の上端の位置は、図４の吹出口１６の下端（図４中に示すＸ１とＸ２を結ぶ線Ｌ１の位置）よりも上側となる場合もある（ハニカム整流体１８から離間した位置）。
【００３１】
以下、本発明の冷気ガイド２１による効果について図４〜図１３を参照しながら説明する。前述した如くオープンショーケース１の吹出口１６に設けられたハニカム整流体１８から吹き出される冷気自体は、均一で乱れの少ない流れである。しかしながら、吹出口１６から出た直後に外気と接触することで渦が発生する。
【００３２】
本発明の場合にも、吹出口１６の外端Ｘ１から吹出方向に離間した位置に冷気ガイド２１を設けているので、図４に模式的に示すように、吹出口１６から出た冷気は外気を誘引して冷気エアーカーテンに沿った方向の流れを生成する。この吹出口１６から出た直後の冷気は外気と接触してそこに渦が生じる。即ち、本発明では冷気ガイド２１を吹出口１６に連続して設けず、離間させることによって故意に渦を生じさせる。この発生した渦も冷気エアーカーテンに沿って流れていくが、本発明ではそこに冷気ガイド２１が設けられているため、渦はこの冷気ガイド２１で打ち消され、発達が抑制される（図４）。これにより、冷気エアーカーテンに沿った流速分布が形成され、外気との混合が抑制されることになる。
【００３３】
特に、図３に示したように冷気ガイド２１を長手方向に直交する面で切断した断面は、対称翼状を呈しているので、冷気は冷気ガイド２１の前面と外面に沿って円滑に流れるようになる。これにより、効果的に渦の発達を抑制することができるようになる。
【００３４】
また、実施例では前述した如く冷気ガイド２１を吹出口１６の外端Ｘ１の冷気が流れる領域内に配置している。この外端Ｘ１は吹出口１６から吹き出された冷気が外気と接触する位置であり、係る外端Ｘ１に冷気ガイド２１を配置することで、渦の抑制効果を著しく向上させることが可能となる。
【００３５】
この様子を流速分布で検証する。図５〜図７はオープンショーケース１の吹出口１６から吹き出される冷気エアーカーテンの流速が１．２ｍ／ｓのときの流速分布を計測した結果を示しており、図５は図２（本発明）の如く冷気ガイド２１を吹出口１６の外端Ｘ１から吹出方向に離間させて配置した場合（この実施例では吹出口１６の幅Ｗは６５ｍｍ、外端Ｘ１からの距離Ｈは１３ｍｍ＝１／５Ｗに設定）、図６は冷気ガイド２１を設けない場合、図７は冷気ガイド２１を吹出口１６の外端Ｘ１に連続して取り付けた場合をそれぞれ示している。
【００３６】
流速０．９３ｍ／ｓの線Ｌ２と流速０．２３ｍ／ｓの線Ｌ３を参照して図５〜図７の場合を比較すると、図５（本発明）の場合には、流速０．９３ｍ／ｓの線Ｌ２は、上から４段目の棚１２の直ぐ上まで延びているが、図７の場合には、この流速０．９３ｍ／ｓの線Ｌ２は、上から３段目と４段目の棚１２の中間点の高さまでしか延びていない。特に、図６の場合には、流速０．９３ｍ／ｓの線Ｌ２は、上から３段目の棚１２までで終わっている。
【００３７】
即ち、本発明の如く冷気ガイド２１を吹出口１６の外端Ｘ１から吹出方向に離間した位置に設ける（図５）ことで、冷気ガイド２１を設けない場合（図６）や、冷気ガイド２１を吹出口１６に連続して設けた場合（図７）よりも、吹出口１６から吹き出された冷気の（冷気エアーカーテン）の流速の低下が抑制されたことが分かる。
【００３８】
また、流速０．２３ｍ／ｓの線Ｌ３の線に着目すると、図６の場合には流速０．２３ｍ／ｓの線Ｌ３の下部がオープンショーケース１より外側に大きく広がっており、図７ではそれよりも少許狭くなり、図５（本発明）では流速０．２３ｍ／ｓの線Ｌ３の下部の広がりは最も小さくなっている。即ち、本発明の如く冷気ガイド２１を吹出口１６の外端Ｘ１から吹出方向に離間した位置に設ける（図５）ことで、冷気ガイド２１を設けない場合（図６）や、冷気ガイド２１を吹出口１６に連続して設けた場合（図７）よりも、吹出口１６から吹き出された冷気（冷気エアーカーテン）の外部への流出も抑制されていることが分かる。
【００３９】
次に、陳列室１１内の温度分布で検証する。図８〜図１０は同じく冷気エアーカーテンの流速が１．２ｍ／ｓのときの陳列室１１内の温度分布を計測した結果を示しており、図８は図２（本発明）の如く冷気ガイド２１を吹出口１６の外端Ｘ１から吹出方向に離間させて配置した場合（同じく実施例では吹出口１６の幅Ｗは６５ｍｍ、外端Ｘ１からの距離Ｈは１３ｍｍ＝１／５Ｗに設定）、図９は冷気ガイド２１を設けない場合、図１０は冷気ガイド２１を吹出口１６の外端Ｘ１に連続して取り付けた場合をそれぞれ示している。
【００４０】
各図にＸ３で示す＋６．０℃の点とＬ４で示す＋２２．０℃の線を参照して図８〜図１０の場合を比較すると、図８（本発明）の場合には、温度６．０℃の点Ｘ３は、上から４段目の棚１２の下側で止まっているが、図１０の場合には、この温度６．０℃の点Ｘ３は、上から４段目の棚１２の上側まで上昇している。特に、図９の場合には、温度６．０℃の点Ｘ３は、上から３段目の棚１２の下側まで上昇している。
【００４１】
逆に図９や図１０の場合には、図８の場合に比して陳列室１１の天井部の温度は低く（２．０℃）、デッキパン１０の位置では逆に高くなっている（８．０℃）。即ち、本発明の如く冷気ガイド２１を吹出口１６の外端Ｘ１から吹出方向に離間した位置に設ける（図８）ことで、冷気ガイド２１を設けない場合（図９）や、冷気ガイド２１を吹出口１６に連続して設けた場合（図１０）よりも、陳列室１１内下部の温度上昇が抑えられ、且つ、上部と下部の温度差も縮小されて陳列室１１内の温度が均一になっていることが分かる。
【００４２】
また、温度２２．０℃の線Ｌ４の線に着目すると、図９の場合には温度２２．０℃の線Ｌ４がオープンショーケース１より外側に大きく出ており、図１０ではそれよりも少許後ろとなり、図８（本発明）では温度２２．０℃の線Ｌ４が最も後側（陳列室１１側）となっている。即ち、本発明の如く冷気ガイド２１を吹出口１６の外端Ｘ１から吹出方向に離間した位置に設ける（図８）ことで、冷気ガイド２１を設けない場合（図９）や、冷気ガイド２１を吹出口１６に連続して設けた場合（図１０）よりも、吹出口１６から吹き出された冷気（冷気エアーカーテン）の外部への流出が抑制されていることが分かる。
【００４３】
次に、図１１は吹出口１６の外端Ｘ１から冷気ガイド２１が離間する距離Ｈを変化させた場合の陳列室１１内の平均温度（評価ポイント１５点の平均値）を測定した結果を示している。破線は冷気ガイド２１を設けない場合、実線は冷気ガイド２１を設けた場合をそれぞれ示している。従って、図中Ｈ＝０は吹出口１６に冷気ガイド２１を連続して設けた場合となる。
【００４４】
この図からも明らかな如く、この流速１．２ｍ／ｓの場合、上記実施例のＨ＝１３ｍｍ、即ち、１／５Ｗの位置で陳列室１１内の平均温度は最も低くなる。そして、Ｈ＝３２．５ｍｍ、即ち、１／２Ｗの位置まで良好となることが分かる。
【００４５】
尚、図１２は冷気エアーカーテンの流速が１．９ｍ／ｓのときの陳列室１１内の平均温度を示しており、図１３は冷気エアーカーテンの流速が０．９ｍ／ｓのときの陳列室１１内の平均温度を示している。図１２の場合には若干下端のピークが不明瞭になるものの、何れの場合にもやはり１／５Ｗ≦Ｈ≦１／２Ｗの範囲で陳列室１１内の平均温度が低くなることが分かる。
【００４６】
以上詳述した如く本発明では、オープンショーケース１の吹出口１６より吹き出された冷気が流れる領域内であって、当該吹出口１６の外端Ｘ１（又は、前述した如くハニカム整流体１８）より冷気吹出方向に離間した位置に冷気ガイド２１を設け、この冷気ガイド２１を、吹出口１６の長手方向の幅と略等しい幅を有する板状部材にて構成したので、外気の誘引により、冷気エアーカーテンに渦が発生するところに設けられた冷気ガイド２１によって渦の発達を抑制することができる。
【００４７】
これにより、冷気エアーカーテンに沿った流速分布が形成され、冷気エアーカーテンの乱れによる外気との混合も抑制されるので、陳列室１１内の冷却効果を著しく改善することが可能となる。
【００４８】
また、吹出口１６の外端Ｘ１から内端Ｘ２までの幅をＷとしたとき、当該吹出口１６の外端Ｘ１から冷気ガイド２１の位置までの距離を、１／２Ｗ以下に設定しているので、冷気エアーカーテンと外気との混合をより一層効果的に抑制することができる。
【００４９】
また、吹出口１６（又は、ハニカム整流体１８）から冷気ガイド２１が離間する距離をＨ、吹出口１６の外端Ｘ１から内端Ｘ２までの幅Ｗに対して、１／５Ｗ≦Ｈ≦１／２Ｗに設定しているので、渦の発達を効果的に抑制しながら、冷気ガイド２１が商品の納出に邪魔になる不都合も解消することができる。
【００５０】
特に、冷気ガイド２１を長手方向に直交する面で切断した断面を、対称翼状としているので、冷気ガイド２１の前面と外面に沿って円滑に冷気が流れ、効果的に渦の発達を抑制することができる。
【００５１】
更に、実施例の冷気ガイド２１は、透明材料にて構成されているので、陳列室１１内における商品陳列効果に悪影響を及ぼすこともなくなる。
【００５２】
尚、実施例で示した各数値は、それに限られるものでは無く、オープンショーケースの寸法や用途に応じて適切に変更すべきことは云うまでもない。
【符号の説明】
【００５３】
１  オープンショーケース
６  背面パネル
７  天面パネル
９  背面ダクト
１０  デッキパン
１１  陳列室
１２  棚
１４  下部ダクト
１５  蒸発器
１６  吹出口
１７  蒸発器
１８  ハニカム整流体
１９  送風機
２１  冷気ガイド
【図１】
0006344716.tif 000002
【図２】
0006344716.tif 000003
【図３】
0006344716.tif 000004
【図４】
0006344716.tif 000005
【図５】
0006344716.tif 000006
【図６】
0006344716.tif 000007
【図７】
0006344716.tif 000008
【図８】
0006344716.tif 000009
【図９】
0006344716.tif 000010
【図１０】
0006344716.tif 000011
【図１１】
0006344716.tif 000012
【図１２】
0006344716.tif 000013
【図１３】
0006344716.tif 000014